(57)【要約】【課題】  容易に開封できると共に、海苔が巻装された状態の三角おにぎりを容易に取り出せるようにする。【解決手段】  その中央部に、短手方向に沿って載置される三角おにぎりＳの一つの矩形面が被包可能な底面巻装部２を有すると共に、その両側部に、三角おにぎりＳの二つの三角面、及び、残り二つの矩形面が被包可能な側面巻装部３，４を有する細長い外包装シート１と、該外包装シート１の両側面巻装部３，４に接着された内包装シート１０と、外包装シート１及び内包装シート１０によって形成された袋状の海苔収納部１１とを備えたおにぎり包装材において、外包装シート１の底面巻装部２に形成された切り離し可能な切断片１５と、その一端部が海苔収納部１１に海苔Ｎを収納できるように切断片１５に接着された接離可能な引出し片２０とを形成する。【選択図】    図１
2005206207.tif 000002
【特許請求の範囲】
【請求項１】
その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部とを備えたおにぎり包装材において、
外包装シートの底面巻装部に形成された切り離し可能な切断片と、その一端部が海苔収納部に海苔を収納できるように切断片に接着された接離可能な引出し片とが形成されてなることを特徴とするおにぎり包装材。
【請求項２】
外包装シートの両側面巻装部には、三角おにぎりの頂点部位を被包する頂点被包部が形成され、さらに、該頂点被包部には、把持片が突出して形成されてなることを特徴とする請求項１に記載のおにぎり包装材。
【請求項３】
両側面巻装部のうち少なくとも一方の側面巻装部の形状が、三角おにぎりの三角面を拡大変形された略台形状を呈し、両海苔収納部のうち少なくとも一方の側面巻装部側の海苔収納部が、一方の側面巻装部と略同一形状に形成されてなることを特徴とする請求項１又は２に記載のおにぎり包装材。
【請求項４】
両側面巻装部のうち少なくとも一方の側面巻装部の形状が略凸形状を呈し、その両角部には、三角おにぎり包装の際における重合を防止するための切欠部が形成されてなることを特徴とする請求項１乃至３のいずれか１項に記載のおにぎり包装材。
【請求項５】
海苔が、両海苔収納部に収納できるように、且つ、三角おにぎりを被包できる大きさに切断加工されてなることを特徴とする請求項１乃至４のいずれか１項に記載のおにぎり包装材。
【請求項６】
切断片、及び、引出し片の大きさが、三角おにぎりの矩形面よりも大きく、切断片、及び、引出し片の形状が、矩形状、台形状、楕円形状のうちいずれか一つであることを特徴とする請求項１乃至５のいずれか１項に記載のおにぎり包装材。
【請求項７】
その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部と、外包装シートの底面巻装部に形成された切断片と、海苔が海苔収納部に収納できるように、その一端部が切断片に接着された接離可能な引出し片と、内包装シート及び引出し片によって、包装される三角おにぎりに対して隔離された状態で海苔収納部に収納された海苔とを備えたおにぎり包装材の包装方法であって、
三角おにぎりを包装する際、把持される切断片の一端部を上側に折り曲げて包装すると共に、破断される切断片の別端部を下側に折り曲げて包装することを特徴とするおにぎり包装材の包装方法。
【請求項８】
その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部と、外包装シートの底面巻装部に形成された切断片と、海苔が海苔収納部に収納できるように、その一端部が切断片に接着された接離可能な引出し片と、内包装シート及び引出し片によって、包装される三角おにぎりに対して隔離された状態で海苔収納部に収納された海苔とを備えたおにぎり包装材によって包装された包装おにぎりであって、
包装された状態においては、把持される切断片の一端部が上側に折り曲げられると共に、破断される切断片の別端部が下側に折り曲げられ、且つ、開封された状態においては、切断片及び引出し片が切り離されたその開口部から三角おにぎりの一部が把持できる程度に露出されてなることを特徴とするおにぎり包装材によって包装された包装おにぎり。
【発明の詳細な説明】
【技術分野】
【０００１】
本発明は、包装された状態においては、海苔と三角おにぎりとが隔離されており、開封された状態においては、海苔を三角おにぎりに巻装できて食することができるおにぎり包装材、及び、おにぎり包装材の包装方法、並びに、おにぎり包装材によって包装された包装おにぎりに関する。
【背景技術】
【０００２】
従来のおにぎり包装材は、その略中央部に切断部が形成された矩形状のフィルムからなる外体と、該外体の略中央部に、外体の短手方向に沿って着脱可能に接着された合わせ片と、外体の両側に接着された内体と、外体と内体とによって形成された袋状の収納部に挿入された矩形状の海苔とから構成されているものが公知になっている（例えば、特許文献１参照）。
【０００３】
そして、おにぎり包装材を開封する際、外体から合わせ片を引出した後、外体の切断部を切り開き、続いて、切り開いて形成された外体の取出し口から、海苔が巻装された状態の三角おにぎりを取り出す。
【０００４】
【特許文献１】実開平４―４３９８９号公報（第１―１９頁、図１乃至図１２）
【発明の開示】
【発明が解決しようとする課題】
【０００５】
しかしながら、従来のおにぎり包装材の場合、開封に際しては、合わせ片の外体からの引き出しと、外体の切断部の切り開きと、海苔及び三角おにぎりの外体からの取り出しとの三つの作業が必要になり、これらの作業が煩雑であるという問題がある。
【０００６】
そこで、本発明は上記問題点に鑑み、容易に開封できて、且つ、海苔が巻装された状態の三角おにぎりを容易に取り出せる実用的なおにぎり包装材、及び、おにぎり包装材の包装方法、並びに、おにぎり包装材によって包装された包装おにぎりを提供することを目的とする。
【課題を解決するための手段】
【０００７】
上記課題を解決するために、本発明のおにぎり包装材は、請求項１に示す如く、その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部とを備えたおにぎり包装材において、外包装シートの底面巻装部に形成された切り離し可能な切断片と、その一端部が海苔収納部に海苔を収納できるように切断片に接着された接離可能な引出し片とが形成されてなるものである。
【０００８】
したがって、開封時、切断片と引出し片とが一体になり、切断片の切り離しと同時に引出し片の引き出しが可能になり、切断片の切り離し、及び、引出し片の引き出しによって、三角おにぎりの取出し口が形成されることになる。
【０００９】
さらに、取出し口から三角おにぎりの一部が外部に露出することになり、三角おにぎりの露出部位を把持して、海苔の巻装された状態の三角おにぎりを容易に取り出せるようになる。
【００１０】
また、請求項２に示す如く、三角おにぎりの頂点部位を被包する頂点被包部を、外包装シートの両側面巻装部に形成し、把持片を頂点被包部に突出して形成するのがよい。
【００１１】
包装時、両側面巻装部の頂点被包部の把持片を接着すれば、おにぎり包装材によって包装された包装おにぎりの把持部になる。よって、持ち運び、バックなどからの取出し、開封時の三角おにぎりの取出しに便利である。
【００１２】
さらに、請求項３に示す如く、両側面巻装部のうち少なくとも一方の側面巻装部の形状を、三角おにぎりの三角面を拡大変形して略台形状に形成し、両海苔収納部のうち少なくとも一方の側面巻装部側の海苔収納部を、一方の側面巻装部と略同一形状に形成するのが好ましい。
【００１３】
したがって、三角おにぎりを包装できる最小限度の大きさの外包装シートを作製できて無駄が少なくなる。さらに、一方の側面巻装部の形状を略台形状に形成することで、三角おにぎりの形状に合わせやすく、迅速に包装できるようになる。加えて、三角おにぎりを被包できる海苔の最小限度の面積を確保できる。
【００１４】
加えて、請求項４に示す如く、両側面巻装部のうち少なくとも一方の側面巻装部の形状を略凸形状に形成し、三角おにぎり包装の際における重合を防止するための切欠部を両角部に形成する。
【００１５】
この場合、外包装シートの側面巻装部の大きさに合わせて海苔の大きさも拡大すれば、三角おにぎりを大きな海苔で巻装でき、ボリューム感のある包装おにぎりを製造できる。さらに、三角おにぎり包装の際における、側面巻装部の両角部の重合によって生じる凹凸がなく、値段や品質が印字された表示ラベルを容易に貼着できる。
【００１６】
さらに、請求項５に示す如く、両海苔収納部に収納できるように、且つ、三角おにぎりを被包できる大きさに海苔を切断加工する。
【００１７】
よって、両海苔収納部に収納できるように、且つ、三角おにぎりを被包できる大きさに海苔を切断加工すれば、包装の際、三角おにぎりに巻装できる大きさの海苔を海苔収納部に容易に収納できて、開封の際、海苔が巻装された状態の三角おにぎりを円滑に且つ迅速に取出せる。例えば、一方の側面巻装部が略台形状である場合には、海苔の一側部を一方の側面巻装部と略同一形状に形成する。
【００１８】
加えて、請求項６に示す如く、切断片、及び、引出し片の大きさを、三角おにぎりの矩形面よりも大きくし、切断片、及び、引出し片の形状を、矩形状、台形状、楕円形状のうちいずれか一つにする。
【００１９】
開封時において、切断片の切り離しと同時に、引出し片の引出しを行った際、切断片、及び、引出し片の形状、即ち矩形状、台形状、楕円形状のうちいずれか一つの形状の取出し口が形成されることになる。さらに、この取出し口が大きければ、三角おにぎりの露出面積も大きくなり、三角おにぎりを把持しやすくて取出しやすくなるため、切断片、及び、引出し片の大きさは、三角おにぎりの矩形面から三角面の一部にかかる程度の大きさが好ましい。
【００２０】
また、本発明のおにぎり包装材の包装方法は、請求項７に示す如く、その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部と、外包装シートの底面巻装部に形成された切断片と、海苔が海苔収納部に収納できるように、その一端部が切断片に接着された接離可能な引出し片と、内包装シート及び引出し片によって、包装される三角おにぎりに対して隔離された状態で海苔収納部に収納された海苔とを備えたおにぎり包装材の包装方法であって、三角おにぎりを包装する際、把持される切断片の一端部を上側に折り曲げて包装すると共に、破断される切断片の別端部を下側に折り曲げて包装するようにしたものである。
【００２１】
この場合、把持される切断片の一端部を上側に折り曲げて包装することで、切断片の一端部が、切断片の把持部として視認できる。さらに、破断される切断片の別端部を下側に折り曲げて包装することで、切断片の切り離し、及び、引出し片の引出しによって、切断片及び引出し片を外包装シートから容易に切り離せる。
【００２２】
さらに、本発明のおにぎり包装材によって包装された包装おにぎりは、請求項８に示す如く、その中央部に、短手方向に沿って載置される三角おにぎりの一つの矩形面が被包可能な底面巻装部を有すると共に、その両側部に、三角おにぎりの三角面、及び、残り二つの矩形面が被包可能な側面巻装部を有する細長い外包装シートと、該外包装シートの両側面巻装部に接着された内包装シートと、外包装シート及び内包装シートによって形成された袋状の海苔収納部と、外包装シートの底面巻装部に形成された切断片と、海苔が海苔収納部に収納できるように、その一端部が切断片に接着された接離可能な引出し片と、内包装シート及び引出し片によって、包装される三角おにぎりに対して隔離された状態で海苔収納部に収納された海苔とを備えたおにぎり包装材によって包装された包装おにぎりであって、包装された状態においては、把持される切断片の一端部が上側に折り曲げられると共に、破断される切断片の別端部が下側に折り曲げられ、且つ、開封された状態においては、切断片及び引出し片が切り離されたその開口部から三角おにぎりの一部が把持できる程度に露出されてなるものである。
【００２３】
包装された状態において、把持される切断片の一端部を上側に折り曲げると共に、破断される切断片の別端部を下側に折り曲げることで、三角おにぎりを迅速に開封できるように工夫されている一方、開封できる三角おにぎりの一部を把持できる程度に露出させることで、海苔が巻装された状態の三角おにぎりを外包装シートから取り出しやすくなり、海苔が巻装された三角おにぎりを即食することができる。
【発明の効果】
【００２４】
以上説明したように、本発明のおにぎり包装材によれば、外包装シートの中央部の底面巻装部において、切断片と引出し片とが一体に形成しているため、切断片の切り離しと同時に引出し片の引き出しするだけで、三角おにぎりの取出し口を簡単に形成でき、実用性が高くなる。
【００２５】
また、把持片を外包装シートの両側面巻装部の頂点被包部に突出して形成し、持ち運び、バックなどからの取出し、開封時の三角おにぎりの取出しが便利になるようにしたので、より実用性が付加される。
【００２６】
さらに、両側面巻装部のうち少なくとも一方の側面巻装部の形状を、三角おにぎりの三角面を拡大変形して略台形状に形成することで無駄の少ない、且つ、包装しやすい外包装シートを作製できる。
【００２７】
そして、両側面巻装部のうち少なくとも一方の側面巻装部の形状を略凸形状にしてもよく、二つの側面巻装部を折り重ねて三角おにぎりを包装できる。しかも、側面巻装部の両角部の重合による凹凸をなくすことで、三角おにぎりをきれいに包装できる。
【００２８】
また、両海苔収納部に収納できるように、且つ、三角おにぎりを被包できる大きさに海苔を切断加工すれば、海苔の巻装された状態の三角おにぎりを即食せる。
【００２９】
さらに、切断片、及び、引出し片の大きさを、三角おにぎりの矩形面よりも大きくすれば、海苔の巻装された状態の三角おにぎりの取出しが容易になる。さらに、切断片、及び、引出し片の形状を、矩形状、台形状、楕円形状のうちいずれか一つにすれば、切断片の切り離し、及び、引出し片の引出しをより効果的に行うことができる。例えば、三角おにぎりの矩形面から三角面の一部にかかる程度の大きさの矩形状であれば、開口面積の大きい取出し口を形成できる。また、等脚台形状であれば、切り離すにしたがって抵抗が小さくなるような方向にテーパを形成すればよい。さらに、楕円形状であれば、露出した三角おにぎりの両側を把持できる面積を無駄なく有効に確保できる。
【００３０】
また、本発明のおにぎり包装材の包装方法によれば、把持される切断片の一端部を上側に折り曲げて包装することで、切断片の把持部を視認できる効果がある。さらに、切り離される切断片の別端部を下側に折り曲げて包装することで、底面巻装部と側面巻装部とを確実にきれいに切り離せる。
【００３１】
さらに、本発明のおにぎり包装材によって包装された包装おにぎりによれば、切断片の一端部を目立つように、且つ、把持しやすく、切断片と引出し片とが共に破断されるので、開封するのに有効である。さらに、開封の際、三角おにぎりの一部を把持できる程度に露出できるようにしたので、海苔が巻装された状態の三角おにぎりの取り出しに有効である。
【発明を実施するための最良の形態】
【００３２】
本発明を実施するための最良の形態につき、図１〜図６を参照して説明する。
まず、本発明のおにぎり包装材の構成について図１及び図２を参照して説明する。本発明のおにぎり包装材は、細長い、例えば略矩形状の外包装シート１と、該外包装シート１の両側に接着された内包装シート１０と、外包装シート１の略中央部に短手方向に沿って形成された略台形状（等脚台形状）の切断片１５と、その一端部が切断片１５の一端部に熱溶着された略矩形状の引出し片２０とから構成されている。
【００３３】
外包装シート１の中央部には、三角おにぎりＳの一つの矩形面が外包装シート１の短手方向に沿って載置されて被包される底面巻装部２が形成され、外包装シート１の両側には、三角おにぎりＳの残り二つの矩形面（傾斜した矩形面）、及び、二つの三角面を被包する側面巻装部３、４が形成されている。そして、外包装シート１の短手方向の長さ寸法が、三角おにぎりＳの矩形面の長手方向の長さ寸法よりも大きくなっている。
【００３４】
一方の側面巻装部３は、三角おにぎりＳの三角面を拡大変形された略台形状（等脚台形状）を呈しており、三角おにぎりＳの頂点部位を被包する水平な頂点被包部３ａと、三角おにぎりＳの一方の三角面を被包する三角面被包部３ｂと、三角おにぎりＳの傾斜した矩形面を被包するテーパ状の斜面被包部３ｃとが形成されている。そして、包装の際、一方の側面巻装部３は、別方の側面巻装部４に対して内側の位置することになる。
【００３５】
別方の側面巻装部４は略凸形状を呈しており、三角おにぎりＳの頂点部位を覆うための水平な頂点被包部４ａと、三角おにぎりＳの別方の三角面を被包する三角面被包部４ｂと、三角おにぎりＳの傾斜した矩形面、及び、一方の三角面を略被包する重合被包部４ｃとが形成されている。そして、別方の側面巻装部４の頂点被包部４ａの長さ寸法は、一方の側面巻装部３の頂点被包部３ａの長さ寸法よりも大きくなっている。この理由としては、別方の側面巻装部４の頂点被包部４ａが一方の側面巻装部３の頂点被包部３ａを外側から覆って、海苔Ｎを三角おにぎりＳの傾斜した矩形面から一方の三角面にかけて容易に捲装するためである。
【００３６】
加えて、別方の側面巻装部４の重合被包部４ｃの両角部には、略Ｌ字形状の切欠部４ｄが形成されている。そして、図５（Ａ）に示すように、別方の側面巻装部４の重合被包部４ｃを一方の側面巻装部３に重合して巻装した際、この切欠部４ｄによって、別方の側面巻装部４の重合被包部４ｃの角部の重なりを回避できる。したがって、別方の側面巻装部４の重合被包部４ｃの角部の重なりによる凹凸がなく、値段や品質などが印字された表示ラベルをきれいに貼着できる（図示せず）。さらに、別方の側面巻装部４の切欠部４ｄによって、海苔Ｎの角部の重なりもなくなり、海苔Ｎが巻装された状態の三角おにぎりＳの取出しも容易になる。
【００３７】
また、両側面巻装部３、４の頂点被包部３ａ、４ａの中央部には、矩形状の把持片５，５が突出して形成されている。該把持片５，５の接着によって三角おにぎりＳを直接握ることなく店頭に陳列できると共に、持ち運びする際、バックなどからの取り出しの際にも有効である。
【００３８】
一方の内包装シート１０は、外包装シート１の一方の側面巻装部３が縮小された台形状を呈しており、別方の内包装シート１０は、別方の側面巻装部４の内側に収まる程度の大きさの矩形状を呈している。そして、両内包装シート１０，１０と外包装シート１の両側面巻装部３、４とによって袋状の海苔収納部１１，１１が形成される。この海苔収納部１１，１１に三角おにぎりＳに巻装される海苔Ｎが収納される。
【００３９】
海苔Ｎの一側は、一方の側面巻装部３の斜面被包部３ｃに挿入しやすいように、一方の側面巻装部３の斜面被包部３ｃの形状（等脚台形状）に合わせて切断加工されている。海苔Ｎの別側は、別方の側面巻装部４の重合被包部４ｃの突縁部に挿入しやすいように、別方の側面巻装部４の重合被包部４ｃの突縁部の形状（矩形状）に合わせて切断加工されている。このように切断加工された海苔Ｎの大きさは、三角おにぎりＳを充分に被包でき、且つ、海苔Ｎが巻装された状態の三角おにぎりＳを、開封された外包装シート１から円滑に取り出せる大きさになっている。
【００４０】
切断片１５は、外包装シート１の一方の長辺から別方の長辺に向かうにしたがって大きく開口するようにテーパが形成されている。しかも、該テーパには、テーパに沿ってカットテープ１６，１６が設けられている。したがって、カットテープ１６，１６によって、外包装シート１からの切り離しが容易になると共に、外気による海苔Ｎへの湿気対策が施されることになる。さらに、幅狭の部位の寸法が三角おにぎりＳの矩形面の短手方向の長さ寸法と同一であり、幅広の部位が三角おにぎりＳの両三角面の一部に達している。よって、切断片１５をカットテープ１６，１６によって切り離した際、切断片１５のテーパによって、三角おにぎりＳを把持できる程度、即ち三角おにぎりＳの一つの矩形面、及び、二つの三角面の一部が露出すると共に、切断片１５と略同一形状の取出し口が形成されることになる。即ち、海苔Ｎの巻装された三角おにぎりＳを把持しやすくなると共に、取り出しやすくなる。加えて、切断片１５の幅広の部位が、引出し片２０の端部と接着されて破断部１８が形成され、幅狭の部位が、外包装シート１の一方の長辺から突出して矩形状の把持部１７となっている。
【００４１】
引出し片２０は、上述したように、一方の端部、即ち切断片１５の幅広の部位に位置する端部は、切断片１５の幅広の部位に接着されて固定されている。よって、切断片１５の切り離しに伴う引出し片２０の引き出しが可能になる。さらに、一方の端部を除く側縁部は、固定されずに接離可能になっている。したがって、引出し片２０が外包装シート１から離脱した状態では、海苔Ｎの挿入が可能になる一方、引出し片２０が外包装シート１に当接した状態では、海苔Ｎが、内包装シート１０及び引出し片２０によって包装される三角おにぎりＳに対して隔離された状態になる。
【００４２】
つぎに本発明のおにぎり包装材の包装方法、及び、おにぎり包装材によって包装された包装おにぎりの開封方法について図１〜図６を参照して説明する。まず、三角おにぎりＳを包装する場合には、図１に示すように、外包装シート１を広げた状態にすると共に、引出し片２０を外包装シート１から離脱させて、海苔Ｎの両側を外包装シート１の両側の海苔収納部１１，１１の形状に合わせて挿入する（図示せず）。
【００４３】
その後、図３に示すように、引出し片２０を海苔Ｎの上に重合させる。そうすることで、海苔Ｎ全体の両側が外包装シート１、及び、内包装シート１０によって被包されると共に、海苔Ｎ全体の中央部が外包装シート１の切断片、及び、引出し片２０によって被包される。この状態で、外包装シート１の略中央部（引出し片）の上面に三角おにぎりＳの矩形面を載置すれば、海苔Ｎと三角おにぎりＳとが隔離されて包装されることになる。
【００４４】
つぎに、図４（Ａ）に示すように、外包装シート１の両側の側面巻装部３、４を折り曲げて三角おにぎりＳの二つの三角面と略平行になるように位置させる。続いて、図４（Ｂ）に示すように、外包装シート１の二つの把持片５，５を接着して把持部を形成すると共に、三角おにぎりＳの三角面及び頂点部位を略被包する。
【００４５】
そして、図４（Ｂ）に示すように、外包装シート１の略台形状の側面巻装部３、４を図４（Ｂ）の矢印方向（内側）に折り曲げて三角おにぎりＳの傾斜した二つの矩形面を略被包した後、外包装シート１の略凸形状の側面巻装部４を内側に折り曲げて外包装シート１の略台形状の側面巻装部３に重合させる。そうすれば、図５（Ａ）に示すような三角おにぎりＳ全面を略被包した状態に包装できる。この際、外包装シート１の略凸形状の側面巻装部４は、略Ｌ字形状の切欠部４ｄによって重なり合うことがなく、凹凸のない状態でテーピングされた後、テーピングの部位を隠蔽すべく表示ラベルを貼着する（図示せず）。なお、表示ラベルの貼着に際しては、切断片１５の切り離しの邪魔にならない位置に貼着するのが好ましい。
【００４６】
さらに、図５（Ａ）に示すように、底部に位置する外包装シート１の折り重なった一方の頂点部位（切断片の把持部）は上方に折り曲げて、外包装シート１の略凸形状の側面巻装部４にテーピングする一方、底部に位置する外包装シート１の折り重なった別方の頂点部位（切断片の破断部）は下方に折り曲げて、切断片１５にテーピングする。以上で、おにぎり包装材によって包装された包装おにぎりとなる。ここで、切断片１５の把持部１７を上方に折り曲げる理由としては、切断片１５の把持部１７を視認しやすい箇所にテーピングするためである。また、切断片１５の破断部１８を下方に折り曲げる理由としては、切断片１５へのテーピングによって、切断片１５の切り離しと同時に行われる引出し片２０の引き出しによって、外包装シート１の底面巻装部２と側面巻装部３、４とを確実にきれいに切り離すためである。
【００４７】
つぎに、おにぎり包装材によって包装された包装おにぎりの開封する場合には、図５（Ａ）に示すように、切断片１５の把持部１７を持って、切断片１５を図５（Ａ）の矢印方向（外包装シート１の短手方向）に沿って切り離すと同時に、切断片１５を介して引出し片２０を引き出す。この際、引出し片２０の引き出しによって、外包装シート１の底面巻装部２に載置された三角おにぎりＳの矩形面と海苔Ｎとが接触することになる。さらに、切断片１５の切り離し、及び、引出し片２０の引き出しによって、外包装シート１の略中央部（底面巻装部２）が開口されて略矩形状の取出し口が形成され、三角おにぎりＳの一つの矩形面、及び、二つの三角面の一部が露出する。
【００４８】
そして、図５（Ｂ）に示すように、外包装シート１の取出し口から露出した三角おにぎりＳの部位を把持して下方に取り出せば、海苔Ｎの巻装された状態の三角おにぎりＳが外包装シート１から円滑に取り出せる。即ち、海苔Ｎが巻装された状態の三角おにぎりＳを迅速に食することができる。この理由としては、外包装シート１の略台形状の側面巻装部３が三角おにぎりＳの一方の三角面から傾斜した二つの矩形面にかけてのみ巻装されている点、外包装シート１の略凸形状の側面巻装部４が一方の三角面において重った状態でテーピングされていない点があげられる。
【００４９】
このように、本発明のおにぎり包装材によれば、包装する場合、外包装シート１の小面積の側面巻装部３から大面積の側面巻装部４を順に重合して被包するだけでよく、容易に包装できる。さらに、開封する場合、三角おにぎりＳの矩形面よりも大きな切断片１５の切り離しと、引出し片２０の引き出しとによって、三角おにぎりＳの一部が外部に露出することになるため、三角おにぎりＳと、略四角錐形状の外包装シート１の残りとを簡単に分離できる。さらに、三角おにぎりＳに対する海苔Ｎの巻装範囲を必要最小限にしているため、無駄がなく、海苔Ｎの巻装された状態の三角おにぎりＳを円滑に取り出せる。
【００５０】
なお、前記実施形態の場合、引出し片２０の形状を矩形状としたが、引き出しやすいようにテーパを形成し、等脚台形状にしてもよい。
【００５１】
また、前記実施形態の場合、細長い外包装シート１の形状を略矩形状としたが、トラック形状であってもよい。外包装シート１、内包装シート１０、引出し片２０の材質としては、合成樹脂製のフィルム、又は、海苔Ｎへの湿気の移行を防止できる薄い紙製のシートなどであってもよい。そして、外包装シート１、内包装シート１０、引出し片２０に防菌加工を施してもよい。
【００５２】
さらに、前記実施形態の場合、三角おにぎりＳを外包装シート１によって包装した際、折り重なった外包装シート１の三角おにぎりＳの底部の頂点部位をそれぞれテーピングしたが、外部からの湿気対策、及び、外部からの異物や害虫の浸入防止としてヒートシールしてもよい。要するに、三角おにぎりＳを包装した状態の外包装シート１において、切断片１５の切り離しに支障をきたすことなく密封性を維持できればよい。
【００５３】
加えて、前記実施形態の場合、切断片１５の形状を三角おにぎりＳの矩形面よりも大きな台形状としたが、楕円形状、矩形状であってもよい。要するに、切断片１５の形状としては、三角おにぎりＳの矩形面よりも大きくて、切り離しの際、三角おにぎりＳの露出面積をできるだけ大きくすればよい。
【００５４】
また、前記実施形態の場合、切断片１５の破断部１８と引出し片２０とを接着するようにしたが、切断片１５の把持部１７及び破断部１８を除く部位に接着してもよい。要するに、引出し片２０を切断片１５から離脱できると共に、外包装シート１の両海苔収納部１１，１１に海苔Ｎを収納でき、しかも、切断片１５の切り離しと同時に引出し片２０の引き出しが可能になればよい。
【００５５】
さらに、前記実施形態の場合、一方の側面巻装部３を略台形状とすると共に、別方の側面巻装部４を略凸形状としたが、両方の側面巻装部３、４を略台形状、又は、略凸形状としてもよい。要するに、側面巻装部３、４として、三角おにぎりＳの三角面、及び、矩形面を被包できればよい。
【００５６】
加えて、前記実施形態の場合、別方の側面巻装部４の切欠部４ｄの形状を略Ｌ字形状としたが、テーパであってもよい。要するに、別方の側面巻装部４の切欠部４ｄの形状としては、別方の側面巻装部４の重合被包部４ｃの角部の重なりを防止できればよい。
【産業上の利用可能性】
【００５７】
本発明のおにぎり包装材、及び、おにぎり包装材の包装方法、並びに、おにぎり包装材によって包装された包装おにぎりは、スーパーやコンビニエンスストア、食料品店などに広範囲に適用できる可能性がある。また、三角形状に加工されたサンドイッチにも利用できる可能性がある。
【図面の簡単な説明】
【００５８】
【図１】本発明のおにぎり包装材の平面図である。
【図２】図１のおにぎり包装材のＡ―Ａ線断面図である。
【図３】三角おにぎりをおにぎり包装材に実装した状態の縦断面図である。
【図４】（Ａ）は、外包装シートの両側を折り曲げて三角おにぎりの三角面に平行に位置させた状態の斜視図、（Ｂ）は、外包装シートの把持部を接着した状態の斜視図である。
【図５】（Ａ）は、外包装シートを三角おにぎりに巻装して被包した状態の斜視図、（Ｂ）は、切断片を外包装シートの短手方向に沿って切断する状態を示した斜視図である。
【図６】（Ａ）は、切断片を介して引出し片を引き出す状態を示した斜視図、（Ｂ）は、引出し片の引き出しによって略矩形状に開口された取出し口から海苔が巻装された状態の三角おにぎりを取り出す状態を示した斜視図である。
【符号の説明】
【００５９】
１  外包装シート
２  底面巻装部
３、４  側面巻装部
３ａ、４ａ  頂点被包部
３ｂ、４ｂ  三角面被包部
３ｃ  斜面被包部
４ｃ  重合被包部
４ｄ  切欠部
５  把持片
１０  内包装シート
１１  海苔収納部
１５  切断片
１６  カットテープ
１７  把持部
１８  破断部
２０  引出し片
Ｓ  三角おにぎり
Ｎ  海苔
【図１】
2005206207.tif 000003
【図２】
2005206207.tif 000004
【図３】
2005206207.tif 000005
【図４】
2005206207.tif 000006
【図５】
2005206207.tif 000007
【図６】
2005206207.tif 000008